(57)【要約】【課題】従来の魚釣り用の撒き餌は、海面へ投入の後、中層でバラけて沈下するか、海底に着いた後、バラけるだけのものであった。よって、集魚力に限界があり、それ以上の釣果につながらなかった。【解決手段】膨化食物と集魚材と浮力調節材を混合した撒き餌なので、撒き餌が沈むにつれてその構成物が徐々にバラけ、それにより膨化食物が徐々に開放されて浮き上がり、撒き餌の水中での浮遊性、拡散性、漂遊性等を確保でき、魚を上方におびき寄せるという集魚効果が発揮できる。 【選択図】図１
2008167766.tif 000002
【特許請求の範囲】
【請求項１】
膨化食品と集魚材と浮力調節材を混合した魚釣り用の撒き餌。
【請求項２】
請求項１記載の撒き餌と、解凍したアミ類を混合したペースト状物を冷凍した魚釣り用の撒き餌。
【発明の詳細な説明】
【技術分野】
【０００１】
本発明は、膨化食品を使用した釣り用の撒き餌に関する。
【背景技術】
【０００２】
従来の魚釣り用の撒き餌は、一定の速度で沈下し、その間に匂いや動きで、広範囲に魚を集めることを目的としている。
このような撒き餌としては、冷凍アミ、冷凍沖アミ、冷凍ボイル、集魚材などを使用したものがある。（例えば、特許文献１参照）
【特許文献１】特開２００６−１６６８５６号公報
【発明の開示】
【発明が解決しようとする課題】
【０００３】
従来の魚釣り用の撒き餌は、海面へ投入の後、沈下し、中層で徐々にバラけるか、海底に着いた後、バラけるだけであった。
ところが岩礁などに生息する魚は、その占位している位置より上方に漂遊している餌を摂食し、下方に沈下していく餌は摂食しないという習性があるので、撒き餌がそのまま沈下してしまうと、岩礁帯を住み家とするような魚を、岩礁帯より上方におびき出すという撒き餌本来の目的を果たせないことになる。
撒き餌により魚を岩礁帯より上方におびき出せなければ、魚が釣れる水深が深くなり、付けエサに食い付いて釣り針にかかった魚は、たやすく住み家である岩礁帯に逃げ込むことができ、取り逃がす原因となる。
このように、従来より使用されている撒き餌は、水中での浮遊性、拡散性が乏しいために、魚を岩礁帯より上方におびき寄せるという集魚効果が充分に発揮されないという課題があった。
【課題を解決するための手段】
【０００４】
本発明は、膨化食物と集魚材と浮力調節材を混合した撒き餌を提案するものである。
この撒き餌を海面に投入すると、浮力調節材の重さが作用して沈下が始まり、撒き餌が沈むにつれてその構成物が徐々にバラけ、それにより膨化食物が徐々に開放されて浮き上がることになるので、撒き餌の水中での浮遊性、拡散性、漂遊性等を確保でき、魚を岩礁帯より上方におびき寄せるという集魚効果が発揮できる。
【発明の効果】
【０００５】
深い棚の部分に撒き餌が沈むまでに徐々にバラけ、浮力がある膨化食物が次々と浮き上るので、撒き餌の集魚及び食いの効果を確保できる。
また浮上する膨化食物を追って魚が浮上するので、大きな釣果を期待できる。
【発明を実施するための最良の形態】
【０００６】
以下、本発明の実施の形態について説明する。
本発明による膨化食物とは、穀物膨張機などを使用して穀物に圧力をかけた後、一気に解放することによって膨らませて作ったものをいい、膨化米（いわゆる、ポン菓子）、膨化麦などがある。
加熱、加圧して膨張させるので、外部は硬く、内部は空気を多く含んで柔らかく、長時間浮力を保持できるという特徴がある。
またこれらの膨化食物は、あらかじめアミ類のエキスに浸漬させておくと、更に食いの効果が期待できる。
一方集魚材とは、パン粉、米ぬか、さなぎ粉、小麦粉、魚粉等を混合した粉末類を指す。
また浮力調節材とは、膨化食物の浮力に対して錘として作用し、撒き餌全体の浮力を調節するためのものである。砂や貝類の殻を粉砕したものなどが使える。
【０００７】
図１は、本発明の撒き餌を投入し、沈下しながら周りの集魚材がバラけ、膨化食物が浮き上がってくる説明図である。
浮力調節材の比率を増減することにより浮力が調節でき、沈下速度を落とすことにより、中層まで到達する間に膨化食物、浮力調節材を包む集魚材がバラけ、浮力がある膨化食物が中層より浮上し始めるので、中層あるいは海底にいる魚を海面へ導くことができる。
また、沈下速度を落とすことにより、潮に乗り、広範囲の魚を呼び寄せることができる。
また膨化食物は最終的に海面まで浮上するが、時間が経つにつれ海水を吸収し、浮力が無くなり再度沈下していくので、長時間にわたって上下運動を行ない、従来に無い撒き餌としての役目を果たす。
【０００８】
上記の撒き餌に、更に解凍したアミ、沖アミ、あるいはオキアミを茹でたボイルなどのアミ類を混合すれば、更なる効果を期待できる。
【実施例１】
【０００９】
以下に、膨化食物として膨化米、浮力調節材として粉砕したアサリの貝殻を使用した実施例を示す。
２リットルのアミ類のエキスに対し、１．５キログラムの生米を２４時間漬け込み、水分を切り、４８時間乾燥させる。
上記の米を原料として、穀類膨張機を使用して膨化米を製造する。
この膨化米３０％に対し、米ぬか３０％、小麦粉１０％、穀物類２０％、粉砕した貝殻１０％として混ぜ合わせ、請求項１の撒き餌を構成する。（比率は、重量比が一般的であるが、体積比でもよい）
【実施例２】
【００１０】
請求項１の撒き餌が９〜６割に対し、アミ類１〜４割の範囲で混合して請求項２の撒き餌を構成する。（比率は、重量比が一般的であるが、体積比でもよい）
その混合比は３：７が最良であるが、深い棚や海底にいる魚を釣る時は、撒き餌全体を硬めのペースト状に仕上げ、浅い棚の魚や中層にいる魚を釣る時は、撒き餌全体を軟めのペースト状に仕上げる。
これを冷凍して保存し、使用するときに解凍して用いる。
【図面の簡単な説明】
【００１１】
【図１】本発明による撒き餌が、水中で拡散する様子を示した説明図である。
【符号の説明】
【００１２】
１  海面
２  海中
３  海底
４  本発明の撒き餌
５  膨化食物
【図１】
2008167766.tif 000003
【手続補正書】
【提出日】平成20年5月12日(2008.5.12)
【手続補正１】
【補正対象書類名】明細書
【補正対象項目名】全文
【補正方法】変更
【補正の内容】
【発明の詳細な説明】
【技術分野】
【０００１】本発明は、膨化食品を使用した釣り用の撒き餌に関する。
【背景技術】
【０００２】従来の魚釣り用の撒き餌は、一定の速度で沈下し、その間に匂いや動きで、広範囲に魚を集めることを目的としている。このような撒き餌としては、冷凍アミ、冷凍沖アミ、冷凍ボイル、集魚材などを使用したものがある。（例えば、特許文献１参照）【特許文献１】特開２００６−１６６８５６号公報
【発明の開示】
【発明が解決しようとする課題】
【０００３】従来の魚釣り用の撒き餌は、海面へ投入の後、沈下し、中層で徐々にバラけるか、海底に着いた後、バラけるだけであった。ところが岩礁などに生息する魚は、その占位している位置より上方に漂遊している餌を摂食し、下方に沈下していく餌は摂食しないという習性があるので、撒き餌がそのまま沈下してしまうと、岩礁帯を住み家とするような魚を、岩礁帯より上方におびき出すという撒き餌本来の目的を果たせないことになる。撒き餌により魚を岩礁帯より上方におびき出せなければ、魚が釣れる水深が深くなり、付けエサに食い付いて釣り針にかかった魚は、たやすく住み家である岩礁帯に逃げ込むことができ、取り逃がす原因となる。このように、従来より使用されている撒き餌は、水中での浮遊性、拡散性が乏しいために、魚を岩礁帯より上方におびき寄せるという集魚効果が充分に発揮されないという課題があった。 
【課題を解決するための手段】
【０００４】本発明は、膨化食品と集魚材と浮力調節材を混合した撒き餌を提案するものである。この撒き餌を海面に投入すると、浮力調節材の重さが作用して沈下が始まり、撒き餌が沈むにつれてその構成物が徐々にバラけ、それにより膨化食品が徐々に開放されて浮き上がることになるので、撒き餌の水中での浮遊性、拡散性、漂遊性等を確保でき、魚を岩礁帯より上方におびき寄せるという集魚効果が発揮できる。 
【発明の効果】
【０００５】深い棚の部分に撒き餌が沈むまでに徐々にバラけ、浮力がある膨化食品が次々と浮き上るので、撒き餌の集魚及び食いの効果を確保できる。また浮上する膨化食品を追って魚が浮上するので、大きな釣果を期待できる。 
【発明を実施するための最良の形態】
【０００６】以下、本発明の実施の形態について説明する。本発明による膨化食品とは、穀物膨張機などを使用して穀物に圧力をかけた後、一気に解放することによって膨らませて作ったものをいい、膨化米（いわゆる、ポン菓子）、膨化麦などがある。加熱、加圧して膨張させるので、外部は硬く、内部は空気を多く含んで柔らかく、長時間浮力を保持できるという特徴がある。またこれらの膨化食品は、あらかじめアミ類のエキスに浸漬させておくと、更に食いの効果が期待できる。一方集魚材とは、パン粉、米ぬか、さなぎ粉、小麦粉、魚粉等を混合した粉末類を指す。また浮力調節材とは、膨化食品の浮力に対して錘として作用し、撒き餌全体の浮力を調節するためのものである。砂や貝類の殻を粉砕したものなどが使える。 【０００７】図１は、本発明の撒き餌を投入し、沈下しながら周りの集魚材がバラけ、膨化食品が浮き上がってくる説明図である。浮力調節材の比率を増減することにより浮力が調節でき、沈下速度を落とすことにより、中層まで到達する間に膨化食品、浮力調節材を包む集魚材がバラけ、浮力がある膨化食品が中層より浮上し始めるので、中層あるいは海底にいる魚を海面へ導くことができる。また、沈下速度を落とすことにより、潮に乗り、広範囲の魚を呼び寄せることができる。また膨化食品は最終的に海面まで浮上するが、時間が経つにつれ海水を吸収し、浮力が無くなり再度沈下していくので、長時間にわたって上下運動を行ない、従来に無い撒き餌としての役目を果たす。【０００８】上記の撒き餌に、更に解凍したアミ、沖アミ、あるいはオキアミを茹でたボイルなどのアミ類を混合すれば、更なる効果を期待できる。 
【実施例１】
【０００９】  以下に、膨化食品として膨化米、浮力調節材として粉砕したアサリの貝殻を使用した実施例を示す。  ２リットルのアミ類のエキスに対し、１，５キログラムの生米を２４時間漬け込み、水分を切り、４８時間乾燥させる。  上記の米を原料として、穀類膨張機を使用して膨化米を製造する。この膨化米３０％に対し、米ぬか３０％、小麦粉１０％、穀物類２０％、粉砕した貝殻１０％として混ぜ合わせ、請求項１の撒き餌を構成する。（比率は、重量比が一般的であるが、体積比でもよい） 
【実施例２】
【００１０】請求項１の撒き餌が９〜６割に対し、アミ類１〜４割の範囲で混合して請求項２の撒き餌を構成する。（比率は、重量比が一般的であるが、体積比でもよい）その混合比は７：３が最良であるが、深い棚や海底にいる魚を釣る時は、撒き餌全体を硬めのペースト状に仕上げ、浅い棚の魚や中層にいる魚を釣る時は、撒き餌全体を軟めのペースト状に仕上げる。これを冷凍して保存し、使用するときに解凍して用いる。 
【図面の簡単な説明】
【００１１】
【図１】本発明による撒き餌が、水中で拡散する様子を示した説明図である。
【符号の説明】
【００１２】      １  海面      ２  海中      ３  海底４  本発明の撒き餌    ５  膨化食品